(57)【要約】【課題】投入容器から臭気を発散させず、かつ投入容器が周囲の臭気を十分に吸引し、排気することのできる廃棄物処理装置を提供する。【解決手段】廃棄物処理装置は、家庭から排出される有機物系の廃棄物が投入される投入口１１、２１、３１を有する投入容器１０、２０、３０を備えている。投入容器１０等は、投入口１１等を開閉可能な蓋部材１２、２２、３２を有している。蓋部材１２等には空気流入口１３、２３、３３が設けられている。投入容器１０等の排出口１５、２５、３５は処理槽４０に連通している。処理槽４０は排気装置５０を備えている。【選択図】図１
2010036060.tif 000002
【特許請求の範囲】
【請求項１】
家庭から排出される有機物系の廃棄物が投入される投入口と、空気流入口が設けられ、該投入口を開閉可能な蓋部材と、該投入口に連通し、投入された該廃棄物が排出される排出口とを有する投入容器と、
該排出口に連通し、該廃棄物が滞留する処理槽と、
該処理槽から排気を行う排気装置とを備えていることを特徴とする廃棄物処理装置。
【請求項２】
前記処理槽は、微生物を担持した担持体を収納し、該廃棄物を分解可能である請求項１記載の廃棄物処理装置。
【請求項３】
前記空気流入口には、前記投入容器内から外部に空気が流出することを防止する逆止弁が設けられている請求項１又は２記載の廃棄物処理装置。
【請求項４】
複数の前記投入容器がそれぞれ別の室内外に設置され、各該投入容器の前記排出口は床下に設置された前記処理槽に連通している請求項１乃至３のいずれか１項記載の廃棄物処理装置。
【請求項５】
前記投入容器は大便器であり、前記投入口は便鉢の上端開口であり、前記蓋部材は便蓋であり、前記排出口は該便鉢に連通する排出管の下端開口である請求項１乃至４のいずれか１項記載の廃棄物処理装置。
【請求項６】
前記投入容器は前記投入口から投入された物を一旦保持する受け部材を有し、該受け部材は前記排気装置の駆動により前記投入容器内の空気が前記処理槽内に流れることを許容する請求項１乃至５のいずれか１項記載の廃棄物処理装置。
【発明の詳細な説明】
【技術分野】
【０００１】
本発明は廃棄物処理装置に関する。
【背景技術】
【０００２】
特許文献１には、家庭から排出される有機物系の廃棄物であるし尿を処理可能な従来のトイレ装置が開示されている。このトイレ装置は、便鉢と、便鉢に連通する排出管とを有する大便器を備えている。排出管の下端開口には、開口を開閉可能なフラッパーが取り付けられている。大便器の下方には、連通管を介して処理槽が設けられている。連通管には吸気管が接続されている。処理槽には排気装置が設けられている。
【０００３】
このトイレ装置では、常時はフラッパーが排出管の下端開口を閉鎖しているため、処理槽の臭気がトイレ室内へ流入することを確実に防止することができる。フラッパーは、汚物を排出する際に排出管の下端開口を開放する。この時には、吸気管が閉じられ、排気装置により便鉢からトイレ室内の空気を吸引する。このため、処理槽の臭気がトイレ室内へ流入することを防止できる。
【０００４】
【特許文献１】特開２００６−１１２０９３号公報
【発明の開示】
【発明が解決しようとする課題】
【０００５】
しかし、上記従来のトイレ装置では、常時はフラッパーが排出管の下端開口を閉鎖しており、汚物を排出する際の数秒間のみフラッパーが排出管の下端開口を開放し、トイレ室内の空気を吸引する。このため、トイレ室内の臭気を便鉢を介して十分に吸引し、排気することは困難である。
【０００６】
本発明は、上記従来の実情に鑑みてなされたものであって、投入容器から臭気を発散させず、かつ投入容器が周囲の臭気を十分に吸引し、排気することのできる廃棄物処理装置を提供することを解決すべき課題としている。
【課題を解決するための手段】
【０００７】
廃棄物処理装置は、家庭から排出される有機物系の廃棄物が投入される投入口と、空気流入口が設けられ、該投入口を開閉可能な蓋部材と、該投入口に連通し、投入された該廃棄物が排出される排出口とを有する投入容器と、
該排出口に連通し、該廃棄物が滞留する処理槽と、
該処理槽から排気を行う排気装置とを備えていることを特徴とする。
【０００８】
この廃棄物処理装置では、排気装置が駆動されると、処理槽内の空気が屋外に排気され、それに伴い、投入容器が周囲の空気を吸引する。この際、投入口が蓋部材により閉鎖されている場合には、空気流入口から空気が吸引される。また、投入口が蓋部材により閉鎖されずに開放されている場合には、投入口から空気が吸引される。このため、処理槽内の臭気が投入容器から外部に発散しない。また、投入容器が周囲の臭気を吸引し、屋外へ排気することができる。
【０００９】
したがって、本発明の廃棄物処理装置は、投入容器から臭気を発散させず、かつ投入容器が周囲の臭気を十分に吸引し、排気することができる。
【００１０】
処理槽は、微生物を担持した担持体を収納し、廃棄物を分解可能であり得る。この場合、投入容器に投入された家庭から排出される有機物系の廃棄物（し尿、生ゴミ、紙類、ペットの糞、剪定枝及び雑草など）を処理槽内で微生物により分解することができる。このため、家庭から排出される有機物系の廃棄物を良好に処理することができる。また、投入容器が設置された室内の暖かい新鮮な空気（酸素）を処理槽内に導入することができるため、微生物の活動を活発にすることができ、有機物系の廃棄物を良好に分解することができる。
【００１１】
空気流入口には、投入容器内から外部に空気が流出することを防止する逆止弁が設けられ得る。この場合、排気装置が駆動されず、蓋部材の空気流入口が周囲の空気を吸引しない時には、逆止弁により空気流入口が閉鎖される。このため、処理槽内の臭気が空気流入口から発散することを確実に防止することができる。
【００１２】
複数の投入容器がそれぞれ別の室内外に設置され、各投入容器の排出口は床下に設置された処理槽に連通し得る。この場合、それぞれの室内外で発生する廃棄物をその場で投入容器に投入することができる。このため、廃棄物を容易に処理することができる。
【００１３】
投入容器は大便器であり、投入口は便鉢の上端開口であり、蓋部材は便蓋であり、排出口は便鉢に連通する排出管の下端開口であり得る。この場合、し尿を容易に処理することができる。
【００１４】
投入容器は投入口から投入された物を一旦保持する受け部材を有し、受け部材は排気装置の駆動により投入容器内の空気が処理槽内に流れることを許容し得る。この場合、投入容器内に廃棄物以外の物が誤って投入されてしまった時に、その物は、一旦受け部材に保持されるため、処理槽内に落下せずに拾い上げることができる。また、受け部材は、排気装置が駆動されると投入容器内の空気が処理槽内に流れることを許容するため、投入容器は空気流入口もしくは投入口から空気を吸引し、処理槽内の臭気が外部に発散しない。また、投入容器が周囲の臭気を吸引し、屋外へ排気することができる。
【発明を実施するための最良の形態】
【００１５】
本発明の廃棄物処理装置を具体化した実施例１を図面を参照しつつ説明する。
【実施例１】
【００１６】
実施例１の廃棄物処理装置は、図１に示すように、トイレ室１には、投入容器である洋風大便器１０が設置されている。また、洗面化粧台Ｗが設置された洗面化粧室２及びシステムキッチンＳが設置された台所３のそれぞれの室内には、投入容器２０が設置されている。さらに、屋外にも投入容器３０が設置されている。
【００１７】
トイレ室１に設置された洋風大便器１０は、図１及び図２に示すように、便器本体１０Ａと、便座１７と、便蓋１２とを備えている。便器本体１０Ａの外形状は、上方より下方に向けて径が小さくなる略逆円錐台形状であり、外周面が内側に湾曲している。便器本体１０Ａには、上方に開口する略半球形状の便鉢１６が形成されている。便鉢１６の上端開口１１が洋風大便器１０の投入口である。便鉢１６の下端中央部には開口１６Ａが形成されている。開口１６Ａは、パッキン１８Ａを介して器具排出管１８の上端開口に接続されている。
【００１８】
器具排出管１８内には、略平板状の受け部材１８Ａが組み付けられている。受け部材１８Ａは、周縁の一端を器具排出管１８の内周面に回動自在に保持され、常時は、開口１６Ａ及び器具排出管１９の内周面に対して隙間を有して略水平状態に位置している。このため、便鉢１６内にし尿などの廃棄物以外の物が誤って投入されてしまった時には、その物を受け部材１８Ａが保持するため、拾い上げることができる。受け部材１８Ａは、図示しない操作レバーを操作することにより、他端が下方に回動し、略垂直状態に位置する。下端開口１５は、接続ソケット１９を介して、連通管４２に連通している。
【００１９】
排泄されたし尿は、便鉢１６の上端開口１１から便鉢１６内を通過し、受け部材１８Ａに一端保持される。その後、操作レバーが操作され、受け部材１８Ａが回動すると、受け部材１８Ａに保持されたし尿は、器具排出管１８の下端開口１５から連通管４２に排出される。
【００２０】
便鉢１６の上端開口１１には、取り外し可能な便座１７が載置される。便座１７の上部には、上端開口１１を開閉可能な便蓋１２が載置される。便蓋１２には、空気流入口１３が設けられている。空気流入口１３には、便鉢１６内から外部に空気が流出することを防止する逆止弁１４が設けられている。逆止弁１４は、弁体１４Ｂと、弁体１４Ｂを便蓋１２の裏面に当接させる方向に付勢するばね１４Ｓとから構成されている。
【００２１】
洗面化粧室２及び台所３に設置された投入容器２０は、図１及び図３に示すように、筐体２０Ａと、筐体２０Ａ内に一体化された内容器２６と、筐体２０Ａに一端が軸支された蓋部材２２とを備えている。内容器２６の上端開口２１が投入口であり、下端中央部に形成された下端開口２５が排出口である。下端開口２５は、連通管４２の上端にパッキン４２Ｐを介して接続されている。
【００２２】
下端開口２５には、略平板状の受け部材２５Ａが設けられている。受け部材２５Ａは、周縁の一端を下端開口２５の一部から伸びた垂下片に回動自在に保持されて、常時は、下端開口２５及び連通管４２の内周面に対して隙間を有して略水平状態に位置している。このため、内容器２０内に紙類などの有機物系の廃棄物以外の物が誤って投入されてしまった時には、その物を受け部材２５Ａが保持するため、拾い上げることができる。受け部材２５Ａは、図示しない操作レバーを操作することにより、他端が下方に回動し、略垂直状態に位置する。これにより、受け部材２５Ａに保持された紙類などの有機物系の廃棄物は、下端開口２５から連通管４２内へ排出される。
【００２３】
内容器２６の下部内面は、下端開口２５に向かって窄むように曲面で形成されている。このため、上端開口２１から投入された紙類などの有機物系の廃棄物は、スムーズに下端開口２５に向けて落下する。
【００２４】
蓋部材２２は、軸支部２７を中心に回動し、投入口である内容器２６の上端開口２１を開閉可能である。蓋部材２２には、空気流入口２３が設けられている。空気流入口２３には、内容器２６内から外部に空気が流出することを防止する逆止弁２４が設けられている。逆止弁２４は、弁体２４Ｂと、弁体２４Ｂを蓋部材２２の裏面に当接させる方向に付勢するばね２４Ｓとから構成されている。
【００２５】
屋外に設置された投入容器３０は、図１に示すように、筐体３０Ａと、筐体３０Ａ内に一体化された内容器３６と、筐体３０Ａに一端が軸支された蓋部材３２とを備えている。内容器３６の上端開口３１が投入口であり、下端に形成された下端開口３５が排出口である。下端開口３５は、連通管４２の上端に接続されている。
【００２６】
下端開口３５には、略平板状の受け部材３５Ａが設けられている。受け部材３５Ａは、周縁の一端を下端開口３５の一部から伸びた垂下片に回動自在に保持されて、常時は、下端開口３５及び連通管４２の内周面に対して隙間を有して略水平状態に位置している。このため、内容器３６内に剪定枝などの有機物系の廃棄物以外の物が誤って投入されてしまった時には、その物を受け部材３５Ａが保持するため、拾い上げることができる。受け部材３５Ａは、図示しない操作レバーを操作することにより、他端が下方に回動し、略垂直状態に位置する。これにより、受け部材３５Ａに保持された剪定枝などの有機物系の廃棄物は、下端開口３５から連通管４２内へ排出される。
【００２７】
内容器３６の下部内面は、下端開口３５に向かって窄むように曲面で形成されている。このため、上端開口３１から投入された剪定枝などの有機物系の廃棄物は、スムーズに下端開口３５に向けて落下する。
【００２８】
蓋部材３２は、図示しない軸支部を中心に回動し、投入口である内容器３６の上端開口３１を開閉可能である。蓋部材３２には、空気流入口３３が設けられている。空気流入口３３には、洗面化粧室２などに設置された投入容器２０の逆止弁２４と同様の構造を有する逆止弁３４が設けられている。
【００２９】
トイレ室１に設置された洋風大便器１０の排出口である下端開口１５と、洗面化粧室２及び台所３に設置された投入容器２０の排出口である下端開口２５と、屋外に設置された投入容器３０の排出口である下端開口３５とのそれぞれに接続された各連通管４２の下端は、床下に配置された処理槽４０に接続されている。このため、洋風大便器１０及び投入容器２０、３０の下端開口１５、２５、３５から排出されたし尿、紙類、剪定枝などの有機物系の廃棄物は処理槽４０内に投入される。処理槽４０内には、微生物を担持した担持体４１であるおが屑が収納され、投入された有機物系の廃棄物を分解可能である。処理槽４０には、排気装置５０が接続されている。排気装置５０は、処理槽４０内を屋外に連通する排気管５１と、排気管５１の途中に配置され、図示しないモーターにより回転するファン５２とから構成されている。
【００３０】
このように構成された実施例１の廃棄物処理装置は、排気装置５０が駆動され、ファン５２が回転すると、処理槽４０内の空気が排気管５１を通って、屋外に排気される。これに伴い、各受け部材１８Ａ、２５Ａ、３５Ａの周囲の隙間から便鉢１６内及び内容器２６、３６内の空気が吸引され、洋風大便器１０及び投入容器２０、３０が周囲の空気を吸引することができる。この際、投入口（便鉢１６の上端開口１１、内容器２６、３６の上端開口２１、３１）が便蓋１２又は蓋部材２２、３２により閉鎖されている場合には、空気流入口１３、２３、３３から空気が吸引される。また、投入口が便蓋１２又は蓋部材２２、３２により閉鎖されずに開放されている場合には、投入口から空気が吸引される。このため、処理槽４０内の臭気は洋風大便器１０及び投入容器２０、３０から外部に発散しない。また、洋風大便器１０及び投入容器２０、３０が周囲の臭気を吸引し、屋外へ排気することができる。
【００３１】
したがって、実施例１の廃棄物処理装置は、洋風大便器１０及び投入容器２０、３０から臭気を発散させず、かつ洋風大便器１０及び投入容器２０、３０が周囲の臭気を十分に吸引し、排気することができる。
【００３２】
トイレ室１では、し尿やペットの糞などを洋風大便器１０から処理槽４０内に投入することができる。洗面化粧室２では、洗面化粧室２内で使用した紙類などを投入容器２０から処理槽４０内に投入することができる。台所３では、生ゴミなどを投入容器２０から処理槽４０内に投入することができる。屋外では、剪定枝や雑草などを投入容器３０から処理槽４０内に投入することができる。処理槽４０内に投入されたこれら有機物系の廃棄物は、処理槽４０内で微生物により分解される。このように、それぞれの室内外で発生する有機物系の廃棄物をその場で投入容器２０、３０に投入することができ、良好に処理することができる。
【００３３】
また、トイレ室１、洗面化粧室２及び台所３内の温かい新鮮な空気（酸素）を処理槽４０内に導入することができるため、微生物の活動を活発にすることができ、有機物系の廃棄物を良好に分解することができる。
【００３４】
また、便蓋１２及び蓋部材２２、３２に設けられた空気流入口１３、２３、３３には、逆止弁１４、２４、３４が設けられているため、排気装置５０が駆動されず、吸気流入口１３、２３、３３から周囲の空気を吸引しない時には、逆止弁１４、２４、３４により空気流入口１３、２３、３３が閉鎖される。このため、処理槽４０内の臭気が空気流入口１３、２３、３３から発散することを確実に防止することができる。
【００３５】
以上において、本発明を実施例１に即して説明したが、本発明は上記実施例１に制限されるものではなく、その趣旨に逸脱しない範囲で適宜変更して適用できることはいうまでもない。
【００３６】
例えば、排気装置は、蓋部材が投入口を開放すると排気を開始し、その後、蓋部材が投入口を閉鎖し、設定時間が経過すると排気を停止するようにしてもよい。このようにすると、蓋部材が投入口を開放している間は、室内の空気を投入口から吸引し、臭気が処理槽から室内に流入することを防止する。また、蓋部材が投入口を閉鎖した後も設定時間が経過するまで、室内の空気を吸引して室内を換気する。これにより、室内に臭気が残留しない。また、排気装置の駆動が停止されるため、省エネを図ることができる。
【００３７】
洋風大便器１０のみを処理槽４０に連通してもよい。この場合、処理槽４０は、浄化槽であってもよい。
洋風大便器１０は、一般的な形状の洋風大便器であってもよい。また、簡易水洗式大便器であってもよい。また、和風大便器であってもよい。
小便器を処理槽４０に連通してもよい。この場合、小便器の鉢面の開口を覆う蓋部材を設けるとよい。
【００３８】
空気流入口１３、２３、３３には、逆止弁が設けられていなくてもよい。
操作レバーが操作され、受け部材１８Ａ、２５Ａ、３５Ａの一端が下方に回動して略垂直状態に位置する際に排気装置のファン５２の回転数を増加させるとよい。このようにすると、洋風大便器１０及び投入容器２０、３０から処理槽４０内の臭気が外部への発散することをより確実に防止することができる。
洋風大便器１０及び投入容器２０、３０は、受け部材１８Ａ、２５Ａ、３５Ａを有しなくてもよい。
処理槽４０は、微生物を担持した担持体と、有機物系の廃棄物とを攪拌する攪拌装置を設けていてもよい。この場合、廃棄物の分解がより良好に行なわれる。
屋外に設置された投入容器３０は、雨水などが内部に侵入しない構造を有するとよい。
【図面の簡単な説明】
【００３９】
【図１】実施例１の廃棄物処理装置を示す全体図である。
【図２】実施例１の投入容器である洋風大便器を示す一部切欠き図である。
【図３】実施例１の投入容器を示す断面図である。
【符号の説明】
【００４０】
１１、２１、３１…投入口（上端開口）
１０、２０、３０…投入容器（１０…洋風大便器）
１２、２２、３２…蓋部材（１２…便蓋）
１３、２３、３３…空気流入口
１５、２５、３５…排出口（下端開口）
１８Ａ、２５Ａ、３５Ａ…受け部材
１４、２４、３４…逆止弁
４０…処理槽
４１…担持体
【図１】
2010036060.tif 000003
【図２】
2010036060.tif 000004
【図３】
2010036060.tif 000005